(57)【要約】  【課題】メンテナンス作業者が誤った設定をしてしまうことなどを除外でき、作業時間の短縮・完結性を向上することができる自動販売機の制御装置を提供する。  【解決手段】自動販売機で適応できる種別情報を持った情報記憶装置１２を複数個用意し、情報記憶装置１２に記憶している情報を自動販売機に取り込むことができるデータキャリア装置６と、データキャリア装置６を通じて取り込んだ情報の種別を判別する種別判定手段３２と、種別判定手段３２によって判定された種別に応じて自動販売機の設定内容を限定する種別毎機能呼出手段３３を備え、種別に応じて自動販売機の設定操作などを限定することができ、メンテナンス作業者の作業内容の簡素化を図ることができ、設定不要箇所などへの誤入力を防止できる。【選択図】図１
2007094499.tif 000002
【特許請求の範囲】
【請求項１】
自動販売機で適応できる種別情報を持った情報記憶装置を複数個備え、前記情報記憶装置に記憶している情報を自動販売機に取り込むことができるデータキャリア装置と、前記データキャリア装置を通じて取り込んだ情報の種別を判別する種別判定手段と、前記種別判定手段によって判定された種別に応じて自動販売機の設定内容を限定する種別毎機能呼出手段を備え、種別に応じて自動販売機の動作設定内容を操作することができることを特徴とする自動販売機の制御装置。
【請求項２】
少なくとも１つの情報記憶装置は、全種別の動作設定内容を操作できることを特徴とする請求項１に記載の自動販売機の制御装置。
【請求項３】
自動販売機のドア表面に表示する文字表示装置を備え、前記種別判定手段によって判定された種別毎の自動販売機の動作設定内容を操作者に表示・認識させることができることを特徴とする請求項１または２に記載の自動販売機の制御装置。
【請求項４】
情報記憶装置毎に自動販売機で使える時間帯を設定できる種別毎使用時間設定手段を備え、種別毎に使用できる時間を制限することを特徴とする請求項１から３のいずれか一項に記載の自動販売機の制御装置。
【請求項５】
自動販売機のドアの開放状態を判定するドア開放検出手段と、前記ドア開放検出手段の情報を元に情報記憶装置の情報を取り込むか否かを判定するドア開放状態判定手段を備え、ドアが開放状態の時のみ、特定の情報記憶装置のデータ取込みを行うことを特徴とする請求項１から４のいずれか一項に記載の自動販売機の制御装置。
【請求項６】
情報記憶装置の種別毎の暗証番号設定ができる暗証番号設定手段を備えたことを特徴とする請求項１から５のいずれか一項に記載の自動販売機の制御装置。
【発明の詳細な説明】
【技術分野】
【０００１】
本発明は、自動販売機における制御装置に関するものである。
【背景技術】
【０００２】
従来から、自動販売機のメンテナンスや設定内容の変更などの操作を行う場合は、メンテナンス作業者や自動販売機のオーナーなどが、自動販売機のドアを開け、ドア内部もうけられたコントローラのボタンを操作したり、あらかじめ設定変更内容を記憶した記憶装置を着脱するなどして、自動販売機の設定内容を変更したりしていた。
【０００３】
このような、自動販売機は特許文献１などに記載されている。そして、特許文献１の自動販売機では、メンテナンス作業者が、あらかじめ修理用の判定動作や設定変更動作をおこなわせることができ、自動販売機の客先に応じた仕様以外の機能を手間や時間をかけることなく付加できる。
【特許文献１】特開２００１−９３０２９号公報
【発明の開示】
【発明が解決しようとする課題】
【０００４】
近年、自動販売機は単に機構的に商品を販売するだけではなく、その機能は非常に多彩で、一人のメンテナンス作業者が全機能を記憶することは困難であり、熟練した作業者でさえ、一つの設定を変更することにかなりの時間を有する場面が多々発生している。
【０００５】
そのため、作業者が自動販売機の設定変更などを完了したと思っても実際は変更されていなかったり、変更してはいけない箇所を変更してしまったりと誤設定してしまう場合がある。
【０００６】
そこで、本発明は、メンテナンス作業者が誤った設定をしてしまうことなどを除外でき、作業時間の短縮・完結性を向上することができる自動販売機の制御装置を提供することを目的とする。
【課題を解決するための手段】
【０００７】
上記従来の課題を解決するために、本発明の自動販売機の制御装置は、自動販売機で適応できる種別情報を持った情報記憶装置を複数個用意し、情報記憶装置に記憶している情報を自動販売機に取り込むことができるデータキャリア装置と、データキャリア装置を通じて取り込んだ情報の種別を判別する種別判定手段と、前記種別判定手段によって判定された種別毎に応じて自動販売機の設定内容を限定する種別毎機能呼出手段を備え、種別に応じた自動販売機の動作・設定内容を操作することができる。
【０００８】
また、情報記憶装置には種別情報において、すべての種別を統括できる権限を持つものがあり、すべての種別を統括できる権限を持つ種別を取り込んだ際には、全種別の動作・設定内容を操作できる。
【０００９】
また、自動販売機のドアに文字などを表示する文字表示装置を備え、種別判定手段によって判定された種別の自動販売機の動作・設定内容を操作者に表示・認識させることができる。
【００１０】
また、情報記憶装置毎に自動販売機で使える時間帯を設定できる種別毎使用時間設定手段を備え、種別毎に使用できる時間を制限することができる。
【００１１】
また、自動販売機のドアの開放状態を判定するドア開放検出手段と、ドア開放検出手段の情報を元に情報記憶装置の情報を取り込むか否かを判定するドア開放状態判定手段を備え、ドアが開放状態にある場合に、特定種別の情報記憶装置のデータ取込を行う。
【００１２】
また、情報記憶装置の種別毎の暗証番号設定ができる暗証番号設定手段を備え、情報記憶装置を使用できる作業員を限定できる。
【発明の効果】
【００１３】
本発明の自動販売機の制御装置は、種別に応じて自動販売機の設定操作を限定することができ、メンテナンス作業者の作業内容の簡素化を図ることができ、設定不要箇所などへの誤入力を防止できる。
【００１４】
また、本発明の自動販売機の制御装置は、臨時の場合は、通常使用する種別の情報記憶装置がない場合でも、自動販売機の設定を変更する事ができる。
【００１５】
また、本発明の自動販売機の制御装置は、メンテナンス作業者などに、今行っている作業内容を認識させることができる。
【００１６】
また、本発明の自動販売機の制御装置は、情報記憶装置の種別毎に、使用できる時間帯を設定でき、不用意の使用を防止できる。
【００１７】
また、本発明の自動販売機の制御装置は、自動販売機の設定を変更できる状態に限って、設定変更などメンテナンス作業を行うことができる。
【００１８】
また、本発明の自動販売機の制御装置は、情報記憶装置を使用できる作業員を限定できる。
【発明を実施するための最良の形態】
【００１９】
請求項１に記載の発明は、自動販売機で適応できる種別情報を持った情報記憶装置を複数個備え、前記情報記憶装置に記憶している情報を自動販売機に取り込むことができるデータキャリア装置と、前記データキャリア装置を通じて取り込んだ情報の種別を判別する種別判定手段と、前記種別判定手段によって判定された種別に応じて自動販売機の設定内容を限定する種別毎機能呼出手段を備え、種別に応じて自動販売機の動作設定内容を操作することができ、メンテナンス作業者の作業内容の簡素化を図ることができ、設定不要箇所などへの誤入力を防止できる。
【００２０】
請求項２に記載の発明は、請求項１に記載の発明に少なくとも１つの情報記憶装置は、全種別の動作設定内容を操作でき、臨時の場合は、通常使用する種別の情報記憶装置がない場合でも、自動販売機の設定を変更する事ができる。
【００２１】
請求項３に記載の発明は、請求項１または２に記載の発明に、自動販売機のドア表面に表示する文字表示装置を備え、種別判定手段によって判定された種別の自動販売機の動作・設定内容を操作者に表示・認識させることができる。
【００２２】
請求項４に記載の発明は、請求項１から３のいずれか一項に記載の発明に情報記憶装置毎に自動販売機で使える時間帯を設定できる種別毎使用時間設定手段を備え、情報記憶装置の種別毎に、使用できる時間帯を設定でき、不用意の使用を防止できる。
【００２３】
請求項５に記載の発明は、請求項１から４のいずれか一項に記載の発明に自動販売機のドアの開放状態を判定するドア開放検出手段と、前記ドア開放検出手段の情報を元に情報記憶装置の情報を取り込むか否かを判定するドア開放状態判定手段を備え、自動販売機の設定を変更できる条件に限って、設定変更などメンテナンス作業を行うことができる。
【００２４】
請求項６に記載の発明は、請求項１から５のいずれか一項に記載の発明に情報記憶装置の種別毎の暗証番号設定ができる暗証番号設定手段を備え、情報記憶装置を使用できる作業員を限定できる。
【００２５】
以下、本発明の具体的実施例について説明する。なお、この実施の形態によって発明が限定されるものでない。
【００２６】
（実施の形態１）
図１は、本発明の実施の形態１における自動販売機の構成図である。図２は、同実施の形態の自動販売機のコントロール手段の構成図である。図３は、同実施の形態の自動販売機の制御ブロック図である。図４は、同実施の形態の自動販売機の制御装置の動作を示すフローチャートである。
【００２７】
図１において、自動販売機箱体１は、自動販売機を構成するに必要な外枠である。
【００２８】
前面ドア２は、自動販売機箱体１の前面に設けられ、通常販売状態で、飲料購入者が見る面には、商品のサンプルを設けておく商品例陳列手段３が配置されている。商品陳列手段３に配置した商品サンプル近くには、その商品を選択することを意味する選択ボタン４が配置される。
【００２９】
文字表示装置５は、飲料購入者に見える形にて前面ドア２に配置され、通常販売状態では、文字情報や画像情報などを表示する。
【００３０】
データキャリア装置６は、ＩＣカードなどの情報を記憶しているものを近接させるなどの行為を行うことで、情報を取り込むことが出来る装置である。商品取出口７は、飲料購入者が商品を手に取る場所である。
【００３１】
飲料購入者用表示装置８は、自動販売機の商品温度や飲料購入時に投入した投入金額などを表示するものである。
【００３２】
貨幣投入口９は、飲料購入者がお金を投入するものであり、ドア開閉手段１０は、前面ドア２を開閉するためものであり、通常、鍵を内蔵しており、鍵を解除することで、前面ドア２を開けることができる。
【００３３】
文字表示装置用操作ボタン１１は、文字表示装置５に表示した情報などを操作するために設けたものであり、自動販売機の前面ドア２を閉じた状態では、飲料購入者などが、操作を行うこともできる。
【００３４】
本実施の形態１では、文字表示装置５と、文字表示装置用操作ボタン１１を別々に表現するが、文字表示装置５と文字表示装置用操作ボタン１１の両動作を実現できるタッチパネル方式としてもよい。
【００３５】
情報記憶装置１２は、データキャリア装置６との組み合わせで判別できる情報を記憶したものであり、本実施の形態１では、複数個の情報記憶装置１２に、それぞれ異なる種別情報を記憶させている。
【００３６】
本実施の形態１では、情報記憶装置１２は、ＩＣカードを例とした内容で表現するが、データキャリア装置６との組み合わせで、情報の授受ができるものであればなんでも良い。
【００３７】
図２におけるコントロール手段２１は、自動販売機における各種機能など設定できるものであり、通常販売時においては、商品購入者からは見えない状態で自動販売機内部に配置され、また、飲料購入者は操作できない。
【００３８】
本実施の形態１では、コントロール手段２１には、コントロール表示手段２２と、コントロールボタン２３が同一の箱状の形態に配置されているが、形状・配置場所などは特に指定は無く、自動販売機における各種機能など設定できるものであればなんでも良い。
【００３９】
コントロール表示手段２２は、自動販売機のメンテナンス・設定変更などを行うときに、その内容を表示するものである。
【００４０】
コントロールボタン２３は、自動販売機のメンテナンス・設定変更などを行うために操作するボタンであり、図２に示すものに限定されるものではない。
【００４１】
また、本実施の形態１では、自動販売機のメンテナンス・設定変更などを行う際に表示する内容を、コントロール表示手段２２に表示するばかりではなく、同内容の表現を文字表示装置５にも同時に表示を行うことができる。
【００４２】
図３は、本実施の形態１で示す制御ブロック図であり、コントロール手段２１と自動販売機の諸構成との信号のやり取りを図示したものである。
【００４３】
本実施の形態１では、コントロール手段２１は、大別して、プログラムをつかさどるコントロール部３１、前面ドア２に組み込まれたデータキャリア装置６と通信にてデータ伝送を行うデータ通信部３４、コントロール表示装置２２への表示内容を送信するコントロール表示装置用ドライブ部３５、前面ドア２に組み込まれた文字表示装置５への表示内容を送信する文字表示装置用ドライブ部３６、自動販売機に各種操作が行われた際にその入力信号をキャッチするセンシング部３７により構成される。
【００４４】
本実施の形態１において、コントロール部３１には、データキャリア装置６を通じて取得した情報記憶装置１２の種別情報を判定する種別情報判定手段３２と、種別毎に操作・設定変更できる機能を呼び出す種別毎機能呼出手段３３を備えている。
【００４５】
以上のように構成された自動販売機において、以下、その動作を説明する。
【００４６】
図４は、本実施の形態１における一連の動作を示すフローチャートであり、図４に基づき動作説明を進める。
【００４７】
本発明は、自動販売機の待機状態をスタートとして説明を行う（ＳＴＥＰ１）。
【００４８】
まず、データキャリア装置６の収集データに変化があるかどうかを見る。
【００４９】
自動販売機には、独自の通信規定上で、常時通信を行いながらそれぞれの部位に状態の変化がないかどうか判定している。
【００５０】
データキャリア装置６を設けた場合も同様に、コントロール部３１とデータキャリア装置６とは、データ通信部３４を介して、状態変化がないかどうか確認を行っている。
【００５１】
ＳＴＥＰ２、ＳＴＥＰ３は、データキャリア装置６の状態変化の判定している。データキャリア装置６に情報記憶装置１２などをかざさなければ、状態変化はないので、ＳＴＥＰ３では、ＳＴＥＰ２へ戻る。
【００５２】
データキャリア装置６に情報記憶装置１２などをかざせば、状態変化があり、データキャリア装置６で取り込んだ情報記憶装置１２の種別情報が、コントロール部３１へ伝送される。
【００５３】
種別情報は、種別判定手段３２へ伝送され、その種別を判定する（ＳＴＥＰ４）。
【００５４】
本実施の形態１では、情報記憶装置１２に記憶させている種別情報を、例えば、自動販売機のオペレータ用に種別１を、自動販売機の所有者用に種別２を、種別１・２の両種別を網羅する最上位権限を持つ種別を例えば１０として設定しているものとする。
【００５５】
種別の表現は、特に区分けできるものであればなんでも良い。
【００５６】
ＳＴＥＰ４で、種別を判定し、例えば種別情報が１であれば、ＳＴＥＰ５で、オペレータが設定権限を持つ自動販売機の機能のみを記述した設定テーブル１を呼び出す。
【００５７】
種別毎で取り扱う機能は、種別毎機能呼出手段３３にあらかじめ設定しておくものであり、種別の権限によっては、機能を重複していても良い。
【００５８】
ＳＴＥＰ６では、ＳＴＥＰ５で呼び出したテーブル１の設定項目の初期値をコントロール表示装置２２に表示すべく、コントロール表示装置用ドライブ部３５を動作させる。
【００５９】
ＳＴＥＰ７では、ＳＴＥＰ５で呼び出したテーブル１の設定項目の初期値を文字表示装置５に表示すべく、文字表示装置用ドライブ部３６を動作させる。
【００６０】
コントロール表示装置２２と文字表示装置５は、表示部の大きさが異なるため、一度に表示できる項目数が異なるが、テーブルは同じものを使うため、表示内容は同じである。
【００６１】
ＳＴＥＰ８では、コントロール表示装置２２に表示した設定項目に対して、コントロールボタン２３が操作されたか否かを判定する。
【００６２】
ＳＴＥＰ８でコントロールボタン２３が操作されない場合は、ＳＴＥＰ９へ移行し、文字表示装置用操作ボタン１１が操作されたか否かを判定する。
【００６３】
ＳＴＥＰ９にて文字表示装置用操作ボタン１１が操作されない場合は、再び、ＳＥＴＥＰ８へ戻り、コントロールボタン２３の操作状況を判定する。
【００６４】
ＳＴＥＰ８にて、コントロールボタン２３が操作された場合は、ＳＴＥＰ１１へ移行し、操作したボタンの意味付けに従い、コントロール表示装置２２への表示内容を変更する処理を行い、ＳＴＥＰ１２へ移行する。
【００６５】
ＳＴＥＰ９にて、文字表示装置用操作ボタン１１が操作された場合は、ＳＴＥＰ１０へ移行し、操作したボタンの意味付けに従い、文字表示装置５への表示内容を変更する処理を行い、ＳＴＥＰ１２へ移行する。
【００６６】
ＳＴＥＰ１２では、設定テーブル１での設定モードを終了するかどうかを判定する。
【００６７】
終了操作がされた場合は、ＳＴＥＰ１３へ移行し、使用されたメモリ内容の格納処理を行い、ＳＴＥＰ１４にて、待機状態へ戻る。ＳＴＥＰ１２で、終了操作がされない場合は、ＳＴＥＰ８へ戻る。
【００６８】
尚、情報記憶装置１２の種別を読み込んだ時点でタイマーを設け、規定時間を過ぎると待機状態へ戻っても良いことは言うまでもない。
【００６９】
また、ＳＴＥＰ４にて、種別が１でない場合は、種別が一致するまで、種別判定を繰り返す。
【００７０】
種別が２の場合は、ＳＴＥＰ５相当のステップで、呼び出すテーブルを種別２のものとすればよいだけであり、以降の動作は、種別１の場合と同じであるので、説明を割愛する。
【００７１】
種別判定を繰り返し、該当種別が無い場合は、待機状態まで戻り、再び、データキャリア装置６の状態変化の有無を判定する。
【００７２】
種別の判定を行う中で、ＳＴＥＰ１５において、最上級の権限を持つ種別（本実施の形態１では１０）を判定した場合は、ＳＴＥＰ１６へ移行する。
【００７３】
ＳＴＥＰ１６では、コントロール表示装置２２へ、これから設定変更すべき内容についての権限を持つ種別（本実施の形態１では、オペレータ：１、所有者：２）を表示させるべく、コントロール表示装置用ドライブ部３５を動作させる。
【００７４】
ＳＴＥＰ１７では、表示された種別のうちいずれかを選択すべく、コントロールボタン２３を操作し、種別を選択する。種別が選択されると、ＳＴＥＰ４へ戻り、ＳＴＥＰ１７で選択した種別に応じた動作を行う。
【００７５】
以上のように本実施の形態１の自動販売機の制御装置は、自動販売機で適応できる種別情報を持った情報記憶装置１２を複数個用意し、情報記憶装置１２に記憶している情報を自動販売機に取り込むことができるデータキャリア装置６と、データキャリア装置６を通じて取り込んだ情報の種別を判別する種別判定手段３２と、種別判定手段３２によって判定された種別に応じて自動販売機の設定内容を限定する種別毎機能呼出手段３３を備え、種別に応じて自動販売機の設定操作を限定することができ、メンテナンス作業者の作業内容の簡素化を図ることができ、設定不要箇所などへの誤入力を防止できる。
【００７６】
また、情報記憶装置１２には種別情報において、すべての種別を統括できる権限を持つものがあり、すべての種別を統括できる権限を持つ種別を取り込んだ際には、全種別の動作・設定内容を操作でき、臨時の場合は、通常使用する種別の情報記憶装置がない場合でも、自動販売機の設定を変更する事ができる。
【００７７】
また、自動販売機のドアに文字などを表示する文字表示装置５を備え、種別判定手段３２によって判定された種別毎の自動販売機の動作・設定内容を操作者に表示・認識させることができる。
【００７８】
（実施の形態２）
以下、実施の形態２について説明する。
【００７９】
尚、実施の形態１と同一の構成については、同一の符号を設け、説明を割愛する。
【００８０】
図５は、本発明の実施の形態２における自動販売機の制御ブロック図である。図６は、同実施の形態の自動販売機の制御装置の動作を示すフローチャートである。
【００８１】
図１において、ドア開閉手段１０は、前面ドア２を開閉するためものであり、前面ドア２を開けることができる。
【００８２】
図５において、ドア開放検出手段４４は、ドアの開閉状態を検出できるものであり、本実施の形態２では、ドア開閉手段１０に組み込まれている。
【００８３】
尚、ドア開放検出手段４４は、ドアの開閉状態を検知できる構成であればなんでも良い。
【００８４】
本実施の形態２において、コントロール部３１には、実施の形態１に加えて、ドア開放判定手段４１と、暗証番号設定手段４２と、種別毎使用時間設定手段４３を備えている。ドア開放判定手段４１は、ドア開放検出手段４４で検出したデータに基づき、ドアの状態を判定するものである。
【００８５】
ドア開放判定手段４１は、その動作を行うか否かを設定することができる。
【００８６】
暗証番号設定手段４２は、情報記憶装置１２の種別毎に暗証番号を設定しておくものである。
【００８７】
暗証番号設定手段４２は、その動作を行うか否かを設定することができる。
【００８８】
種別毎使用時間設定手段４３は、情報記憶装置１２の種別毎に使用できる時間帯を設定しておくものである。
【００８９】
種別毎使用時間設定手段４３は、その動作を行うか否かを設定することができる。
【００９０】
以上のように構成された自動販売機において、以下、その動作を説明する。
【００９１】
図６は、本実施の形態２における一連の動作を示すフローチャートであり、図６に基づき動作説明を進める。
【００９２】
尚、図６における同一符号は、実施の形態１と同一のものであり、図６には、実施の形態１に追加する部分を付加し、付加部分について動作説明を行う。
【００９３】
ＳＴＥＰ３において、データキャリア装置６に状態変化があった場合は、ＳＴＥＰ１０１へ進む。
【００９４】
ＳＴＥＰ１０１では、ドア開放判定手段４１の動作を行う設定がなされているか否かを判定する。
【００９５】
自動販売機のオペレータなどにより、ドア開放判定手段４１を動作させるよう設定がされている場合は、ＳＴＥＰ１０２へ進む。
【００９６】
ドア開放判定手段４４を動作しないように設定がされている場合は、ＳＴＥＰ１０３へ進む。
【００９７】
ＳＴＥＰ１０２では、ドア開放検出手段４４のデータを元に、ドアの開放状態を判定する。
【００９８】
開放状態であれば、オペレータなどが、自動販売機のメンテナンスなどを行っている状態であることを示し、ＳＴＥＰ１０３へ動作を進める。ドアの開放状態が閉状態であれば、通常の販売状態であることを示すため自動販売機のメンテナンスなどを行うときに使用する種別の情報記憶装置１２には反応する必要は無いため、待機状態へ戻る。
【００９９】
ＳＴＥＰ１０３では、暗証番号設定手段４２の動作を行う設定がなされているか否かを判定する。
【０１００】
自動販売機のオペレータなどにより、暗証番号設定手段４２を動作させるよう設定がされている場合は、ＳＴＥＰ１０４へ進む。
【０１０１】
暗証番号設定手段４２を動作しないように設定がされている場合は、ＳＴＥＰ１０４へ進む。ＳＴＥＰ１０４では、情報記憶装置１２に記憶した種別の暗証番号の入力を行う。
【０１０２】
暗証番号は、情報記憶装置１２を使った作業者が、コントロールボタン２３などを使って自動販売機側へ手入力する。
【０１０３】
ＳＴＥＰ１０５で、暗証番号の照合を行い、暗証番号が一致すれば、ＳＴＥＰ４へ進み、一致せねば、不正人物による使用とみなし、待機状態へ戻る。ＳＴＥＰ４で、情報記憶装置１２の種別を判定し、ＳＴＥＰ１０６へ進む。
【０１０４】
ＳＴＥＰ１０６では、種別毎使用時間設定手段４３の動作を行う設定がなされているか否かを判定する。自動販売機のオペレータなどにより、種別毎使用時間設定手段４３を動作させるよう設定がされている場合は、ＳＴＥＰ１０７へ進む。
【０１０５】
種別毎使用時間設定手段４３では、種別に対応した形で、使用できる時間帯を設定できる。種別毎使用時間設定手段４３を動作しないように設定がされている場合は、ＳＴＥＰ５へ進む。
【０１０６】
例えば、自動販売機の設置ロケーションによっては、オペレートすることを許可されない時間帯がある場合や、逆に限定された時間帯しかオペレートできない場合がある。
【０１０７】
すなわち、決められた時間以外にオペレートなどの行為を行われることは、いたずらや盗難などを意味する場合がある。
【０１０８】
ＳＴＥＰ１０７では、情報記憶装置１２を読み取った時間が、種別毎のオペレートなどの行為が許された時間であるかどうかを判定し、設定された時間内であれば、オペレートできるようＳＴＥＰ５へ進む。設定された時間外であれば、不正人物による使用とみなし、待機状態へ戻る。
【０１０９】
以降、実施の形態１と同一の動作であるので、説明を省略する。
【０１１０】
以上のように本実施の形態２の自動販売機の制御装置は、本実施の形態１の自動販売機の制御装置に加え、情報記憶装置毎に自動販売機で使える時間帯を設定できる種別毎使用時間設定手段４３を備え、情報記憶装置の種別毎に、使用できる時間帯を設定でき、不用意の使用を防止できる。
【０１１１】
また、自動販売機のドアの開放状態を判定するドア開放検出手段４４と、ドア開放検出手段４４の情報を元に情報記憶装置１２の情報を取り込むか否かを判定するドア開放判定手段４１を備え、自動販売機の設定を変更できる条件に限って、設定変更などメンテナンス作業を行うことができる。
【０１１２】
また、情報記憶装置１２の種別毎の暗証番号を設定する暗証番号設定手段４１を備え、情報記憶装置を使用できる作業員を限定できる。
【産業上の利用可能性】
【０１１３】
以上のように、本発明にかかる自動販売機の制御装置は、メンテナンス作業者などの操作できる作業内容を意図的に限定できるので、作業内容に権限を持つ必要がある機器・機構などの機能管理に適用できる。
【図面の簡単な説明】
【０１１４】
【図１】本発明の実施の形態１における自動販売機の構成図
【図２】同実施の形態の自動販売機のコントロール手段の構成図
【図３】同実施の形態の自動販売機の制御ブロック図
【図４】同実施の形態の自動販売機の制御装置の動作を示すフローチャート
【図５】本発明の実施の形態２における自動販売機の制御ブロック図
【図６】同実施の形態の自動販売機の制御装置の動作を示すフローチャート
【符号の説明】
【０１１５】
１    自動販売機箱体
２    前面ドア
３    商品例陳列手段
４    選択ボタン
５    文字表示装置
６    データキャリア装置
７    商品取出口
８    飲料購入者用表示装置
９    貨幣投入口
１０  ドア開閉手段
１１  文字表示装置用操作ボタン
１２  情報記憶装置
２１  コントロール手段
２２  コントロール表示装置
２３  コントロールボタン
３１  コントロール部
３２  種別判定手段
３３  種別毎機能呼出手段
３４  データ通信部
３５  コントロール表示装置用ドライブ部
３６  文字表示装置用ドライブ部
３７  センシング部
４１  ドア開放判定手段
４２  暗証番号設定手段
４３  種別毎使用時間設定手段
４４  ドア開放検出手段
【図１】
2007094499.tif 000003
【図２】
2007094499.tif 000004
【図３】
2007094499.tif 000005
【図４】
2007094499.tif 000006
【図５】
2007094499.tif 000007
【図６】
2007094499.tif 000008